(57)【要約】【解決手段】網場係留保護シートＡは、網場Ｂの端部ｂを覆うことができる長尺状であって、少なくとも表裏の素材１、１を有している。長尺状のこれら素材１、１の長手方向の上下両端に、ファスナー２、２が取り付けられている。長尺状の素材１、１の左右両端に、絞り込み用のロープ３、３が備えられている。【効果】ダム湖Ｄに設置されている網場Ｂの端部ｂを、この網場係留保護シートＡで覆い（胴巻き状態とし）、ファスナー２、２をそれぞれ閉じることにより、網場Ｂの端部ｂを表裏の素材１、１の中に納めることができる。したがって、法面Ｃ上において網場Ｂの端部ｂを引き上げても、網場Ｂの端部ｂが法面Ｃ付近にある切り株や岩、小石その他のものに引っ掛かることがなく、網場Ｂの端部ｂをスムーズに、しかも軽い力で引き上げることができる。網場Ｂの端部ｂの一方の端末ｄを、絞り込み用のロープ３で絞り込むと良い。【選択図】図３
2011127303.tif 000002
【特許請求の範囲】
【請求項１】
網場の端部を覆うことができる長尺状であって、少なくとも表裏の素材を有しており、長尺状のこれら素材の長手方向の少なくとも一端にファスナーが取り付けられていることを特徴とする網場係留保護シート。
【請求項２】
長尺状の素材の長手方向のもう一方の端部にも、ファスナーが取り付けられていることを特徴とする請求項１記載の網場係留保護シート。
【請求項３】
長尺状の表裏の素材の左右両端のうちの少なくとも一方に、絞り込み用のロープが取り付けられていることを特徴とする請求項１又は２記載の網場係留保護シート。
【請求項４】
長尺状の表裏の素材の左右両端のうちのもう一方の端部にも、絞り込み用のロープが取り付けられていることを特徴とする請求項３記載の網場係留保護シート。
【請求項５】
表裏の素材が合成樹脂製の帆布であることを特徴とする請求項１〜４のいずれかに記載の網場係留保護シート。
【請求項６】
設置された網場の端部を請求項１〜５のいずれかに記載の網場係留保護シートで覆い、この網場係留保護シートで覆われた網場の端部を、設置場所の法面上で引き上げることを特徴とする網場引き上げ方法。
【請求項７】
請求項１〜５のいずれかに記載の網場係留保護シートの絞り込み用のロープで、網場の端部の端末を絞った状態で引き上げることを特徴とする請求項６記載の網場引き上げ方法。
【請求項８】
請求項１〜５のいずれかに記載の網場係留保護シートのもう一方の絞り込み用のロープで、網場の端部の途中も絞った状態で引き上げることを特徴とする請求項６又は７記載の網場引き上げ方法。
【発明の詳細な説明】
【技術分野】
【０００１】
本発明は、ダム、湖、貯水池、河川その他様々な所に網場を設置するに当って、網場の端部を引き上げる際に用いる保護シートと、この保護シートを用いて網場を引き上げる方法に関するものである。
【背景技術】
【０００２】
ダム、湖、貯水池、河川その他様々な所において、湖面や水面に滞留した流木や塵芥を集めるために、あるいは、ダムの取水口に流木や塵芥が流れ込むのを防止するために、流木止め設備が提案され（例えば、特許文献１参照）、実際に現場に設置されている。
【０００３】
また、流木止めだけでなく、水質の浄化、水面の緑化をも行い得るものも提案され（例えば、特許文献２参照）、実際に現場に設置されている。
【先行技術文献】
【特許文献】
【０００４】
【特許文献１】特開２００３−１８４０５７号公報
【０００５】
【特許文献２】特開平１０−１１０４２４号公報
【０００６】
これらの流木止め設備は面積の大きなネットからなる網場を備えており、大きく拡げたこの網場を用いることにより、湖面や水面に滞留した流木や塵芥を集めることができ、あるいは、ダムの取水口に流木や塵芥が流れ込むのを防止することができる。
【発明の概要】
【発明が解決しようとする課題】
【０００７】
ところが、図５に示すダム湖Ｄ’を例に挙げてこの網場の設置工事について説明すると、法面Ｃ’上において網場Ｂ’の端部ｂ’を引き上げると、網場Ｂ’が切り株や岩、小石その他のものに引っ掛かるので、極めて引き上げにくいのみならず、相当の力を要する。そして、網場Ｂ’は大きくて、しかも、その長さは連続するものであるから、これをダム湖Ｄ’の法面Ｃ’上において引き上げるのは、極めて重労働である。
【０００８】
また、法面Ｃ’上を無理して引き上げると、網場Ｂ’のうち少なくとも法面Ｃ’と擦れた部分が損傷することになる。この損傷を少しでも防止するために、法面Ｃ’全面をシートで覆うと、当該シートを被せる労力と時間は計り知れない。さらに、法面Ｃ’を覆ったシートも損傷しやすいこともあって、それを転用することができない。
【０００９】
このように、従来行われて来た網場設置工事にあっては、網場Ｂ’そのものに対しても、また、その引き上げ方法の面においても様々な問題があった。しかしながら、好ましい解決策は全く提案されていない。
【００１０】
本発明は、これらの欠点を解消するために、法面上において引き上げる網場の端部を保護することができる保護シートを開発した。また、網場設置工事において、この保護シートを網場の端部に被せることにより、網場設置工事における上記欠点を解消することができるようにした。
【課題を解決するための手段】
【００１１】
すなわち、本発明による網場係留保護シートは、網場の端部を覆うことができる長尺状であって、少なくとも表裏の素材を有しており、長尺状のこれら素材の長手方向の少なくとも一端にファスナーが取り付けられていることを特徴とするものである。
この網場係留保護シートを用いると、設置されている網場の端部をこの網場係留保護シートで覆い、前記ファスナーを閉じることにより、網場の端部を少なくとも表裏の素材の中に納めることができる。したがって、法面上において網場の端部を引き上げても、網場の端部が法面付近にある切り株や岩、小石その他のものに引っ掛かることがなく、網場の端部をスムーズに、しかも軽い力で引き上げることができる。また、前記ファスナーを利用することで、網場の端部をこの網場係留保護シートで覆いやすい。さらに、設置後の網場の端部からこの網場係留保護シートを外しやすい。
【００１２】
長尺状の素材の長手方向のもう一方の端部にも、ファスナーが取り付けられていることが望ましい。
この網場係留保護シートを用いると、長尺状の素材の長手方向の両側に取り付けられているファスナーをそれぞれ開けた状態で、設置されている網場の端部をこの網場係留保護シートで覆い、両ファスナーを閉じることにより、網場の端部を少なくとも表裏の素材の中に納めることができる。したがって、網場の端部を少なくとも表裏の素材の中に納める作業を、素早くかつ確実に行うことができる。また、２つのファスナーを利用することで、網場の端部をこの網場係留保護シートで覆いやすい。さらに、設置後の網場の端部からこの網場係留保護シートを外しやすい。
【００１３】
長尺状の表裏の素材の左右両端のうちの少なくとも一方に、絞り込み用のロープが取り付けられていることが望ましい。
この網場係留保護シートを用いると、網場の端部の端末を絞り込み用のロープで絞ることができる。したがって、網場の端部を引き上げやすいのみならず、網場の端部が法面に一層触れないようにすることができる。
【００１４】
長尺状の表裏の素材の左右両端のうちのもう一方の端部にも、絞り込み用のロープが取り付けられていることが望ましい。
この網場係留保護シートを用いると、網場の端部の端末のみならず、その途中のいずれかの部分も絞ることができる。したがって、網場の端部の嵩をできるだけ小さくしてスムーズに、しかも、より軽い力で引き上げることができる。
【００１５】
表裏の素材が合成樹脂製の帆布であることが望ましい。合成樹脂製の帆布からなる網場係留保護シートは強度的にも優れているので、網場の端部を保護する効果が増大する。
【００１６】
また、本発明による網場引き上げ方法は、設置された網場の端部を上述したいずれかの網場係留保護シートで覆い、この網場係留保護シートで覆われた網場の端部を、設置場所の法面上において引き上げることを特徴とするものである。
この引き上げ方法を採用すると、網場の端部が法面付近にある切り株や岩、小石その他のものに引っ掛かることがなく、網場の端部をスムーズに、しかも軽い力で引き上げることができる。また、網場設置工事の能率が大幅に上がる。
【００１７】
網場係留保護シートの絞り込み用のロープで、網場の端部の端末を絞った状態で引き上げることが望ましい。
この引き上げ方法を採用すると、網場の端部の端末を絞り込み用のロープで絞った状態で引き上げることができるので、網場の端部を引き上げやすいのみならず、網場の端部が法面に一層触れないようにすることができる。
【００１８】
網場係留保護シートのもう一方の絞り込み用のロープで、網場の端部の途中も絞った状態で引き上げることが望ましい。
この引き上げ方法を採用すると、網場の端部の端末のみならず、その途中のいずれかの部分も絞った状態で引き上げることができるので、網場の端部の嵩をできるだけ小さくしてよりスムーズに引き上げることができる。
【発明の効果】
【００１９】
請求項１記載の発明によれば、設置されている網場の端部をこの網場係留保護シートで覆った上で、前記ファスナーを閉じることにより、網場の端部を少なくとも表裏の素材の中に納めることができるので、網場の端部を法面上で引き上げても、網場の端部が法面付近にある切り株や岩、小石その他のものに引っ掛かることがなく、網場の端部をスムーズに、しかも軽い力で引き上げることができる。また、前記ファスナーを利用することで、網場の端部をこの網場係留保護シートで覆いやすい。さらに、設置後の網場の端部からこの網場係留保護シートを外しやすい。ファスナーを開閉することにより、網場係留保護シートを繰り返し使用できる。
【００２０】
請求項２記載の発明によれば、長尺状の素材の長手方向の両側に取り付けられているファスナーをそれぞれ開けた状態で、設置されている網場の端部をこの網場係留保護シートで覆い、両ファスナーを閉じることにより、網場の端部を少なくとも表裏の素材の中に納めることができるので、網場の端部を少なくとも表裏の素材の中に納める作業を、素早くかつ確実に行うことができる。また、２つのファスナーを利用することで、網場の端部をこの網場係留保護シートで覆いやすい。さらに、設置後の網場の端部からこの網場係留保護シートを外しやすい。ファスナーを開閉することにより、網場係留保護シートを繰り返し使用できる。
【００２１】
請求項３記載の発明によれば、網場の端部の端末を絞り込み用のロープで絞ることができるので、網場の端部を引き上げやすいのみならず、網場の端部が法面に一層触れないようにすることができる。
【００２２】
請求項４記載の発明によれば、網場の端部の端末のみならず、その途中のいずれかの部分も絞ることができるので、網場の端部の嵩をできるだけ小さくしてスムーズに、しかも、より軽い力で引き上げることができる。
【００２３】
請求項５記載の合成樹脂製の帆布からなる網場係留保護シートによれば、強度的にも優れているので、網場の端部を保護する効果が増大する。
【００２４】
請求項６記載の発明によれば、網場の端部が法面付近にある切り株や岩、小石その他のものに引っ掛かることがなく、網場の端部をスムーズに、しかも軽い力で引き上げることができる。また、網場設置工事の能率が大幅に上がる。
【００２５】
請求項７記載の発明によれば、網場の端部の端末を絞り込み用のロープで絞った状態で引き上げることができるので、網場の端部を引き上げやすいのみならず、網場の端部が法面に一層触れないようにすることができる。
【００２６】
請求項８記載の発明によれば、網場の端部の端末のみならず、その途中のいずれかの部分も絞った状態で引き上げることができるので、網場の端部の嵩をできるだけ小さくしてよりスムーズに引き上げることができる。
【図面の簡単な説明】
【００２７】
【図１】本発明による網場係留保護シートの一例を示す正面図である。
【図２】網場の端部を図１に示す網場係留保護シートで覆った状態を示す図で、(a)はその正面図、(b)はその右側面図である。
【図３】本発明による網場係留保護シートを用いた本発明による網場引き上げ方法の一例を示す概略図である。
【図４】網場の一例を示す図で、(a)はその正面図、(b)はその右側面図である。
【図５】従来の網場引き上げ方法の一例を示す概略図である。
【発明を実施するための形態】
【００２８】
本発明による網場係留保護シートの一例と、それを用いた網場引き上げ方法の一例について、図面に基いて詳細に説明する。
【００２９】
本発明による網場係留保護シートの一例としての網場係留保護シートＡは、網場Ｂの端部ｂを覆うことができる長尺状であって、少なくとも表裏の素材１、１を有しており、長尺状のこれら素材１、１の長手方向の少なくとも一端、例えば、少なくとも図１の上端部分、にファスナー２が取り付けられている。
なお、網場係留保護シートＡの表裏の素材１、１の長手方向の長さは、１０ｍ程度にするのが好ましい。また、表裏の素材１、１の高さは、網場係留保護シートＡを筒状にした場合において、直径が０．７ｍ程度になる程度にするのが好ましい。
【００３０】
表裏の素材１、１は、例えば、図１の下端部分が繋がっている２枚重ねでも良いし、図１の上下両端部とも繋がっていない２枚重ねでも良い。図１の下端部分が繋がっている２枚重ねの場合には、図１の上端部分にファスナー２が取り付けられ、図１の上下両端部とも繋がっていない２枚重ねの場合には、図１の上下両端部にそれぞれファスナー２、２が取り付けられる。いずれの場合であっても、図２(b)に示すように、円筒状となるようにすることが好ましい。
【００３１】
素材１は、例えば、ポリエステル製の帆布のような摩耗に対しても強い材質のものとするのが好ましいが、それに変わるものとして、例えば、ポリエチレン製、あるいは、綿製とすることができる。その材質については、ここに例を挙げたもののみに限定されるものではなく、法面Ｃ上において網場Ｂの端部ｂを引き上げる際にそれを保護することができるものであれば良い。
【００３２】
前記ファスナー２は、網場係留保護シートＡの使用場所等から水に強く、錆びないものが好ましい。その一部であるテープは、例えば、ポリエチレンテレフタレート製、あるいは、ポリオキシメチレン製とすることができる。また、スライダーは、例えば、亜鉛合金製と、下止金具は、例えば、亜鉛と銅の合金製と、開き金具は、例えば、ポリオキシメチレン製とすれば、ファスナー２全体が水に強く、錆びないものとなる。
【００３３】
網場係留保護シートＡの表裏の素材１、１の左右両端は、繋がっていない開口状態となっており、そのうちの少なくとも一方を全周にわたって筒状加工し、その筒内に端末絞り込み用のロープ３を挿通する。
ここでは、繋がっていない表裏の素材１、１の左右両端部分を全周にわたって筒状加工し、左右の筒１ａ、１ａ内に端末絞り込み用のロープ３、３を挿通する。ロープ３を、例えば、ビニロンとポリエステルの混紡糸からなるものとすれば、強度的にも優れ、また、水を含みにくいので、有利である。
【００３４】
ここに示す網場係留保護シートＡはこのような構成からなるものであって、法面Ｃ上において引き上げる網場Ｂの端部ｂを保護することができるものである。
図３に示すダム湖Ｄを例に挙げて網場Ｂの設置工事について説明すると、設置されている網場Ｂの端部ｂをこの網場係留保護シートＡで覆い（胴巻き状態とし）、ファスナー２が１つの場合にはそれを、ファスナー２が２つの場合にはそれぞれを閉じることにより、図２に示すように、網場Ｂの端部ｂを少なくとも表裏の素材１、１の中に納めることができる。したがって、法面Ｃ上において網場Ｂの端部ｂを引き上げても、網場Ｂの端部ｂが法面Ｃ付近にある切り株や岩、小石その他のものに引っ掛かることがなく、網場Ｂの端部ｂをスムーズに、しかも軽い力で引き上げることができる。また、前記ファスナー２を利用することで、網場Ｂの端部ｂを網場係留保護シートＡで覆いやすい。さらに、設置後の網場Ｂの端部ｂから網場係留保護シートＡを外しやすい。
【００３５】
ファスナー２は、例えば、少なくとも図１の上端部分にのみ取り付ければ良いが、ここには、図１の上端部分だけでなく、図１の下端部分にもファスナー２が取り付けられている場合が例示されている。
この網場係留保護シートＡを用いると、長尺状の素材１、１の長手方向の両側に取り付けられているファスナー２、２をそれぞれ開けた状態で、設置されている網場Ｂの端部ｂを網場係留保護シートＡで覆い（胴巻き状態とし）、両ファスナー２、２を閉じることにより、網場Ｂの端部ｂを少なくとも表裏の素材１、１の中に納めることができる。したがって、網場Ｂの端部ｂを少なくとも表裏の素材１、１の中に納める作業を、素早くかつ確実に行うことができる。また、２つのファスナー２、２を利用することで、網場Ｂの端部ｂを網場係留保護シートＡで覆いやすい。さらに、設置後の網場Ｂの端部ｂから網場係留保護シートＡを外しやすい。ファスナー２、２を開閉することにより、網場係留保護シートＡを繰り返し使用できる。
【００３６】
絞り込み用のロープ３は、網場係留保護シートＡの長尺状の表裏の素材１、１の左右両端のうち、少なくとも一方(例えば、図２の右端のみ)に取り付ければ良いが、ここには、もう一方の端部にも絞り込み用のロープ３を取り付けた場合が例示されている。
この網場係留保護シートＡを用いると、網場Ｂの端部ｂの一方の端末ｄ（図２の右端）のみならず、その途中のいずれかの部分（図２においてｃで示す）も絞ることができる。したがって、網場Ｂの端部ｂの嵩をできるだけ小さくしてスムーズに、しかも、より軽い力で引き上げることができる。
【００３７】
さらに、ここには、網場係留保護シートＡの表裏の素材１、１が、例えば、ポリエステル製の帆布のような摩耗に対しても強い材質のものからなる場合が例示されている。網場係留保護シートＡの表裏の素材１、１がこのようなものからなっておれば、強度的にも優れているので、網場の端部を保護する効果が増大する。
【００３８】
次に、上述した網場係留保護シートＡを用いて、ダム湖Ｄの法面Ｃ上において網場Ｂの端部ｂを引き上げる場合の一例について説明する。
【００３９】
ダム湖Ｄに設置された網場Ｂの端部ｂを、図２に示すように、上述した網場係留保護シートＡで覆い（胴巻き状態とし）、この網場係留保護シートＡで覆われた網場Ｂの端部ｂを、図３に示すように、設置場所の法面Ｃ上において引き上げる。
この引き上げ方法を採用すると、網場Ｂの端部ｂが法面Ｃ付近にある切り株や岩、小石その他のものに引っ掛かることがなく、網場Ｂの端部ｂをスムーズに、しかも軽い力で引き上げることができる。
【００４０】
図３には、網場係留保護シートＡで覆われた網場Ｂの端部ｂを、ダム湖Ｄの堤Ｅ上に設置した牽引機Ｆで引き上げる場合が図示されている。
この引き上げ方法を採用すると、牽引機Ｆという機械の力で現場の人が全く疲れることなく網場Ｂの端部ｂを容易に引き上げることができる。従来の場合にも、図５に示すように、同様の牽引機Ｆを用いて網場Ｂの端部ｂを引き上げていた。
牽引機Ｆはダム湖Ｄの堤Ｅ上に載置したアンカーブロックＧに定着されている。なお、この点は従来の場合も同じであり、図５においては、同じ符号でそれを示してある。
【００４１】
ダム湖Ｄの法面Ｃ上において網場Ｂの端部ｂを引き上げるに当って、網場係留保護シートＡの絞り込み用のロープ３で、少なくとも網場Ｂの端部ｂの端末ｄ（図２の右端）を絞った状態で引き上げるのが良い。
この引き上げ方法を採用すると、網場Ｂの端部ｂの端末ｄを絞り込み用のロープ３で絞った状態で引き上げることができるので、網場Ｂの端部ｂを引き上げやすいのみならず、網場Ｂの端部ｂが法面Ｃに一層触れないようにすることができる。
【００４２】
ここでは、さらに、網場係留保護シートＡのもう一方の絞り込み用のロープ３で、網場Ｂの端部ｂの途中（図２のｃ部分）も絞った状態で引き上げる場合が例示されている。
この引き上げ方法を採用すると、網場Ｂの端部ｂの端末ｄ（図２の右端）のみならず、その途中のいずれかの部分（図２のｃ部分）も絞った状態で引き上げることができるので、網場Ｂの端部ｂの嵩をできるだけ小さくしてよりスムーズに引き上げることができる。
【００４３】
網場Ｂの一例を図４に示す。網場Ｂは、通常、フロート４により湖面あるいは水面から垂下させ得るネット５を備えたもので、大きく拡げた状態で湖面あるいは水面から垂下せしめられたこのネット５により、湖面や水面に滞留した流木や塵芥を集めることができ、あるいは、ダムの取水口に流木や塵芥が流れ込むのを防止することができる。
【００４４】
ネット５の材質は、通常、ポリエチレン製であり、このネット４の下端にはウエイト６が取り付けてあり、ネット４をピンと張った状態を維持させ得るようにしてある。
このネット５を前記フロート４から垂下させるに当っては、樹脂を被覆した例えばナイロン製のロープ７、７が用いられており、垂下せしめられたネット５の高さ、すなわち、網場Ｂの高さは、通常、２ｍ程度である。
【００４５】
このように、網場Ｂは大きくて、しかも、その長さは連続するものであるから、これをダム湖Ｄの法面Ｃ上において引き上げるのは、極めて重労働であり、その作業には上述したように様々な問題が生じていた。
本発明による網場係留保護シートＡを、例えば、ダム湖Ｄの法面Ｃ上においてこの網場Ｂを引き上げる場合に用いると、上述したように、様々な効果を発揮することができ、この網場係留保護シートＡは極めて便利なものである。また、この網場係留保護シートＡを用いて、例えば、ダム湖Ｄの法面Ｃ上においてこの網場Ｂを引き上げると、上述したように、網場設置工事の能率が大幅に上がるなど、その効果は計り知れない。
【符号の説明】
【００４６】
１…素材、１ａ…筒、２…ファスナー、３…ロープ、４…フロート、５…ネット、Ａ…網場係留保護シート、Ｂ…網場、ｂ…端部、ｃ…もう一方の絞った部分、ｄ…端末、Ｃ…法面、Ｄ…ダム湖。
【図１】
2011127303.tif 000003
【図２】
2011127303.tif 000004
【図３】
2011127303.tif 000005
【図４】
2011127303.tif 000006
【図５】
2011127303.tif 000007